【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
複数のＬＥＤ組立体のＬＥＤ群によって形成される少なくとも１つのＬＥＤアレイであって、各ＬＥＤ群は個別のスペクトル範囲内の少なくとも１つの光信号を出力するように構成されている、というＬＥＤアレイと、
前記ＬＥＤアレイを形成する前記複数のＬＥＤ群からの複数の出力のうちの少なくとも１つの光特性を平滑化するように構成された少なくとも１つのフィールド平滑化装置と、
前記複数のＬＥＤ群からの光信号を受容して組み合わせて、広いスペクトルの光源出力信号を生成するよう構成された少なくとも１つの回折要素と、
前記広いスペクトルの光源出力信号を調節して、当該光源出力信号をワーク面に向けるよう構成された少なくとも１つの光学要素と、
を備えたことを特徴とするＬＥＤベースの太陽光シミュレータ光源。
【請求項２】
複数のＬＥＤアレイを更に備えたことを特徴とする請求項１に記載のＬＥＤベースの太陽光シミュレータ光源。
【請求項３】
前記フィールド平滑化装置は、少なくとも１つのフレネルレンズを有している
ことを特徴とする請求項１に記載のＬＥＤベースの太陽光シミュレータ光源。
【請求項４】
前記フィールド平滑化装置は、少なくとも１つの平坦フレネルレンズを有している
ことを特徴とする請求項１に記載のＬＥＤベースの太陽光シミュレータ光源。
【請求項５】
前記フィールド平滑化装置は、少なくとも１つの円弧状フレネルレンズを有している
ことを特徴とする請求項１に記載のＬＥＤベースの太陽光シミュレータ光源。
【請求項６】
前記フィールド平滑化装置は、少なくとも１つのホログラムフレネルレンズを有している
ことを特徴とする請求項１に記載のＬＥＤベースの太陽光シミュレータ光源。
【請求項７】
前記回折要素は、少なくとも１つの規則的なエチェル格子を有している
ことを特徴とする請求項１に記載のＬＥＤベースの太陽光シミュレータ光源。
【請求項８】
前記回折要素は、少なくとも１つの回折格子を有している
ことを特徴とする請求項１に記載のＬＥＤベースの太陽光シミュレータ光源。
【請求項９】
前記回折要素は、少なくとも１つのプリズムを有している
ことを特徴とする請求項１に記載のＬＥＤベースの太陽光シミュレータ光源。
【請求項１０】
前記光学要素は、少なくとも１つのビームホモジナイザーを有している
ことを特徴とする請求項１に記載のＬＥＤベースの太陽光シミュレータ光源。
【請求項１１】
前記光学要素は、レンズ、ミラー、ビームホモジナイザー及びフィルタからなる群から選択される少なくとも１つの装置を有している
ことを特徴とする請求項１に記載のＬＥＤベースの太陽光シミュレータ光源。
【請求項１２】
当該ＬＥＤ光源から前記ワーク面まで少なくとも１つのアライメント信号を出力するよう構成された少なくとも１つのアライメント装置
を更に備えたことを特徴とする請求項１に記載のＬＥＤベースの太陽光シミュレータ光源。
【請求項１３】
当該ＬＥＤ光源上に位置決めされた少なくとも２つのアライメント装置を更に備え、
前記アライメント装置は、当該ＬＥＤ光源が前記ワーク面から所望の高さに位置する時、当該ＬＥＤ光源から前記ワーク面まで少なくとも２つのアライメント信号を、当該アライメント信号が前記ワーク面上で交差するという角度で出力するよう構成されている
ことを特徴とする請求項１に記載のＬＥＤベースの太陽光シミュレータ光源。
【請求項１４】
内部に位置決めされた少なくとも１つのＬＥＤアレイを有する少なくとも１つのＬＥＤベースの光源であって、当該ＬＥＤアレイは複数のＬＥＤ組立体のＬＥＤ群によって形成され、各ＬＥＤ群は個別のスペクトル範囲内の少なくとも１つの光信号を出力するように構成され、前記複数のＬＥＤ群は波長スペクトルを有する少なくとも１つの光源出力信号を協調的に出力する、というＬＥＤベースの光源と、
前記ＬＥＤベース光源と通信可能で、少なくとも１つのＬＥＤ群の出力を選択的に制御して前記光源出力信号の前記波長スペクトルの選択的変化を許容するように構成された少なくとも１つの制御装置と、
を備えたことを特徴とするＬＥＤベースの太陽光シミュレータシステム。
【請求項１５】
前記制御装置は、前記ＬＥＤベースの光源と、少なくとも１つのコンジットを介して通信可能である
ことを特徴とする請求項１４に記載のＬＥＤベースの太陽光シミュレータシステム。
【請求項１６】
前記制御装置は、前記ＬＥＤベースの光源と、ワイヤレスに通信可能である
ことを特徴とする請求項１４に記載のＬＥＤベースの太陽光シミュレータシステム。
【請求項１７】
前記ＬＥＤベースの光源は、複数のＬＥＤアレイを含んでいる
ことを特徴とする請求項１４に記載のＬＥＤベースの太陽光シミュレータシステム。
【請求項１８】
前記ＬＥＤベースの光源は、前記ＬＥＤアレイを形成する前記複数のＬＥＤ群からの複数の出力のうちの少なくとも１つの光特性を平滑化するように構成された少なくとも１つのフィールド平滑化装置を含んでいる
ことを特徴とする請求項１４に記載のＬＥＤベースの太陽光シミュレータシステム。
【請求項１９】
前記フィールド平滑化装置は、少なくとも１つのフレネルレンズを有している
ことを特徴とする請求項１８に記載のＬＥＤベースの太陽光シミュレータシステム。
【請求項２０】
前記フィールド平滑化装置は、少なくとも１つの平坦フレネルレンズを有している
ことを特徴とする請求項１８に記載のＬＥＤベースの太陽光シミュレータシステム。
【請求項２１】
前記フィールド平滑化装置は、少なくとも１つの円弧状フレネルレンズを有していることを特徴とする請求項１８に記載のＬＥＤベースの太陽光シミュレータシステム。
【請求項２２】
前記フィールド平滑化装置は、少なくとも１つのホログラムフレネルレンズを有している
ことを特徴とする請求項１８に記載のＬＥＤベースの太陽光シミュレータシステム。
【請求項２３】
前記ＬＥＤベースの光源は、前記複数のＬＥＤ群からの光信号を受容して組み合わせて広いスペクトルの光源出力信号を生成するよう構成された少なくとも１つの回折要素を含んでいる
ことを特徴とする請求項１４に記載のＬＥＤベースの太陽光シミュレータシステム。
【請求項２４】
前記回折要素は、少なくとも１つの規則的なエチェル格子を有している
ことを特徴とする請求項２３に記載のＬＥＤベースの太陽光シミュレータシステム。
【請求項２５】
前記回折要素は、少なくとも１つの回折格子を有している
ことを特徴とする請求項２３に記載のＬＥＤベースの太陽光シミュレータシステム。
【請求項２６】
前記回折要素は、少なくとも１つのプリズムを有している
ことを特徴とする請求項２３に記載のＬＥＤベースの太陽光シミュレータシステム。
【請求項２７】
前記ＬＥＤベースの光源は、前記広いスペクトルの光源出力信号を調節して、当該光源出力信号をワーク面に向けるよう構成された少なくとも１つの光学要素を含んでいる
ことを特徴とする請求項１４に記載のＬＥＤベースの太陽光シミュレータシステム。
【請求項２８】
前記光学要素は、少なくとも１つのビームホモジナイザーを有している
ことを特徴とする請求項２７に記載のＬＥＤベースの太陽光シミュレータシステム。
【請求項２９】
前記光学要素は、レンズ、ミラー、ビームホモジナイザー及びフィルタからなる群から選択される少なくとも１つの装置を有している
ことを特徴とする請求項２７に記載のＬＥＤベースの太陽光シミュレータシステム。
【請求項３０】
前記ＬＥＤベースの光源は、当該ＬＥＤ光源から前記ワーク面まで少なくとも１つのアライメント信号を出力するよう構成された少なくとも１つのアライメント装置を有する
ことを特徴とする請求項１４に記載のＬＥＤベースの太陽光シミュレータシステム。
【請求項３１】
当該ＬＥＤ光源上に位置決めされた少なくとも２つのアライメント装置を更に備え、
前記アライメント装置は、当該ＬＥＤ光源が前記ワーク面から所望の高さに位置する時、当該ＬＥＤ光源から前記ワーク面まで少なくとも２つのアライメント信号を、当該アライメント信号が前記ワーク面上で交差するという角度で出力するよう構成されている
ことを特徴とする請求項３０に記載のＬＥＤベースの太陽光シミュレータシステム。
【請求項３２】
前記制御装置は、少なくとも１つのスペクトル制御システムを含んでおり、
前記スペクトル制御システムは、
ＬＥＤアレイの少なくとも１つのＬＥＤ組立体からなる少なくとも１つのＬＥＤ群から発信される光信号の強度の変更を選択的に許容するよう構成された、少なくとも１つの波長電力制御アクチュエータと、
ＬＥＤ組立体からなる少なくとも１つのＬＥＤ群から発信される光信号の波長を特定するよう構成された、少なくとも１つの波長電力デジグネータと、
前記波長電力デジグネータによって指定された波長範囲内のＬＥＤ組立体からなる少なくとも１つのＬＥＤ群から発信される光信号の出力電力を表示するよう構成された、少なくとも１つの波長範囲電力インジケータと、
前記波長電力制御アクチュエータによって選択されたように前記波長電力デジグネータによって指定された波長範囲内のＬＥＤ組立体からなる少なくとも１つのＬＥＤ群から発信される光信号の電力をユーザが変更することを許容するよう構成された、少なくとも１つの波長範囲アクチュエータと、
を有している
ことを特徴とする請求項１４に記載のＬＥＤベースの太陽光シミュレータシステム。
【請求項３３】
前記制御装置は、前記ＬＥＤベース光源の出力電力を表示するように構成された少なくとも１つの情報ディスプレイを含んでいる
ことを特徴とする請求項１４に記載のＬＥＤベースの太陽光シミュレータシステム。
【請求項３４】
前記制御装置は、更に、
当該制御装置とＬＥＤアレイのＬＥＤ組立体からなるＬＥＤ群とに電力供給するように構成された、少なくとも１つの電源部と、
前記電源部と通信可能な少なくとも１つのマイクロプロセッサと、
前記電源部とＬＥＤアレイのＬＥＤ組立体からなるＬＥＤ群との少なくとも一方と通信可能な少なくとも１つのＬＥＤ制御盤と、
を有しており、
前記ＬＥＤ制御盤は、前記マイクロプロセッサからのコマンドに基づいて、ＬＥＤ群に供給される電流を変更するように構成されている
ことを特徴とする請求項１４に記載のＬＥＤベースの太陽光シミュレータシステム。
【請求項３５】
前記マイクロプロセッサは、前記ＬＥＤ制御盤によってＬＥＤ群に供給される前記電流をユーザが変更することを許容するように構成された少なくとも１つのユーザインタフェースと通信可能である
ことを特徴とする請求項３４に記載のＬＥＤベースの太陽光シミュレータシステム。
【請求項３６】
前記ユーザインタフェースは、前記制御装置上に位置決めされている
ことを特徴とする請求項３５に記載のＬＥＤベースの太陽光シミュレータシステム。
【請求項３７】
前記ユーザインタフェースは、前記マイクロプロセッサと通信可能な外部プロセッサを有している
ことを特徴とする請求項３５に記載のＬＥＤベースの太陽光シミュレータシステム。
【請求項３８】
前記マイクロプロセッサは、データを記憶するよう構成された１以上のメモリ装置を含んでいる
ことを特徴とする請求項３４に記載のＬＥＤベースの太陽光シミュレータシステム。